(57)【要約】      （修正有）【課題】吸湿性物品の吸湿性能を短時間で表現できるデモンストレーション装置を提供する。【解決手段】吸湿性物品の吸湿性能を視認することのできる吸湿性能デモ装置であって、内部を透視可能な容器１と微細水滴発生手段２とを備えており、微細水滴発生手段は該手段により発生した微細水滴を容器に導くための導入管３を備えており、容器は導入管を挿入または接続できる開口部４を有している。容器の内部に吸湿性物品５を設置し、微細水滴発生手段にて発生させた微細水滴６を、導入管を通じて、容器の内部に導入する。導入された微細水滴は白い靄状に容器の内部に拡散するが、吸湿性物品の吸湿性能により、靄が徐々に消えていく状況を視認することができる。【選択図】図１
0003218222.tif 000002
【実用新案登録請求の範囲】
【請求項１】
吸湿性物品の吸湿性能を視認することのできる吸湿性能デモ装置であって、内部を透視可能な容器と微細水滴発生手段とを備えており、前記微細水滴発生手段は該手段により発生した微細水滴を前記容器に導くための導入管を備えており、前記容器は前記導入管を挿入または接続できる開口部を有していることを特徴とする吸湿性能デモ装置。
【請求項２】
前記容器を複数備えていることを特徴とする請求項１に記載の吸湿性能デモ装置。
【請求項３】
前記容器の視認する側とは反対側の面の少なくとも一部を有色にしたことを特徴とする請求項１または２に記載の吸湿性能デモ装置。
【請求項４】
前記容器の内部の湿度を示す湿度表示手段を備えることを特徴とする請求項１〜３のいずれかに記載の吸湿性能デモ装置。
【考案の詳細な説明】
【技術分野】
【０００１】
本考案は、吸湿性を有する物品の吸湿性能を視覚的に確認することのできる装置に関するものである。
【背景技術】
【０００２】
吸湿性繊維や吸湿性粒子は、蒸れ感の解消や室内空間の調湿の効果を得ることを目的として、肌着などの衣料品、布団、敷きパッドなどの寝具、ソファー、クッションなどのインテリア用品、壁紙、内壁材などの建材などの製品に用いられている。
【０００３】
ところが、上述したような製品が市場に提供される際には、該製品の有する吸湿性能は、吸湿量や吸湿速度などの数値データやグラフなどで表されることが多く、一般消費者などの吸湿性に関する専門家でない者にとっては、その性能の程度を十分に認識することができない。
【０００４】
この点に関して、特許文献１は、調湿展示装置を開示している。該装置は、内部が透視可能で且つ気密に隔離された２つの展示ケースと、いずれか一方の展示ケース内部に収容される評価対象となる吸放湿性を有する調湿材と、上記２つの展示ケースの湿度を表示する湿度インジケータとを備えると共に、上記２つの展示ケース内部をそれぞれ加湿するための共通する１つの加湿器又は上記２つの展示ケース内部をそれぞれ除湿するための共通する１つの除湿器のいずれか一方を備えるものである。
【０００５】
該装置においては、１つの加湿器６から２つの展示ケースにそれぞれ湿気を供給して２つの展示ケース内部を高湿度状態にした場合は、調湿材が収容されている方の展示ケースの湿度が調湿材の調湿機能によって低下し、このとき展示ケース間に生じる湿度差を湿度インジケータにて表示することで、調湿材による調湿効果を容易に認知できるようになるとされている。また、高湿度状態では、展示ケースの各正面の透明窓が湿気で曇ることにより、外部から内部の結露現象の差異、湿度状況の差異を目視で外部から観察でき、調湿効果の評価が一目瞭然となるとされている。
【先行技術文献】
【特許文献】
【０００６】
【特許文献１】特開２００６−３４６１１９号公報
【考案の概要】
【考案が解決しようとする課題】
【０００７】
上述した装置においては、湿度インジケータにより吸湿性能を表示しているが、湿度そのものは目に見えないため、実感として伝わりにくいものである。また、壁面における結露の発生は目に見えるものの、その解消には時間がかかるため、調湿材の効果を認識するには長時間展示ケースを見つめておく必要がある。このような点は、例えば、店頭におけるデモンストレーションにおいては、時間がかかりすぎて客に見てもらうことができない恐れがあるとともに、緩慢な変化では効果のアピールという点においてもインパクトに欠けるものとなる。本考案の目的は吸湿性物品の吸湿性能を短時間で表現できるデモンストレーション装置を提供することにある。
【課題を解決するための手段】
【０００８】
本考案者らは、上述の目的を達成するために鋭意検討を進めた結果、吸湿性物品の存在下に、目に見える微細な水滴を分散させた空気を導入した場合、微細な水滴が迅速に消失することを見出し、本考案に到達した。すなわち、本考案は以下の手段により達成される。
【０００９】
（１）  吸湿性物品の吸湿性能を視認することのできる吸湿性能デモ装置であって、内部を透視可能な容器と微細水滴発生手段とを備えており、前記微細水滴発生手段は該手段により発生した微細水滴を前記容器に導くための導入管を備えており、前記容器は前記導入管を挿入または接続できる開口部を有していることを特徴とする吸湿性能デモ装置。
（２）  前記容器を複数備えていることを特徴とする（１）に記載の吸湿性能デモ装置。
（３）  前記容器の視認する側とは反対側の面の少なくとも一部を有色にしたことを特徴とする（１）または（２）に記載の吸湿性能デモ装置。
（４）  前記容器の内部の湿度を示す湿度表示手段を備えることを特徴とする（１）〜（３）のいずれかに記載の吸湿性能デモ装置。
【考案の効果】
【００１０】
本考案の吸湿性能デモ装置は、吸湿性物品の吸湿性能を数〜十数秒の短時間で表現することができるものである。かかる性能を有する本考案の吸湿性能デモ装置は、例えば、吸湿性物品の店頭販売における販促デモンストレーションや、ＢｔｏＢの営業活動における吸湿性素材の機能の説明などにおいて利用することができる。
【図面の簡単な説明】
【００１１】
【図１】本考案の吸湿性能デモ装置の一例を示す概略図である。
【図２】内部を透視可能な容器を複数有する本考案の吸湿性能デモ装置の一例を示す概略図である。
【図３】内部を透視可能な容器の視認する側とは反対側の面を有色にした本考案の吸湿性能デモ装置の一例を示す概略図である。
【考案を実施するための形態】
【００１２】
以下、本考案の吸湿性能デモ装置について、図面を参照しながら詳述するが、本考案はこれらに限定されるものではない。
【００１３】
本考案の吸湿性能デモ装置は、図１に示すように、内部を透視可能な容器１と微細水滴発生手段２とを備えている。また、微細水滴発生手段２には該手段により発生した微細水滴を容器１に導くための導入管３を備えており、容器１は導入管３を挿入または接続できる開口部４を有している。
【００１４】
本考案の吸湿性能デモ装置においては、図１に示すように、容器１の内部に吸湿性物品５を設置し、微細水滴発生手段２にて発生させた微細水滴６を、導入管３を通じて、容器１の内部に導入する。この時、導入された微細水滴６は白い靄状に容器１の内部に拡散するが、吸湿性物品５の吸湿性能により、靄が徐々に消えていく状況を視認することができる。
【００１５】
靄が消えていく速度は、吸湿性物品５の吸湿性能の程度により変化するが、高吸湿性を謳っているような吸湿性物品であれば、数秒から十数秒で靄が消える。このように、短時間で吸湿性能を示すことができるため、店頭販売における販促デモンストレーションなどにおいて、客に見てもらえる可能性が高まり、また、優れた吸湿性能を印象付けることができる。
【００１６】
上述した容器１の形状としては、図１に示すような直方体に限らず、円筒形や袋状などであっても構わない。また、容器１はその全体が透視可能であることまでは必要でなく、一部が透視可能な材料で構成されたものであってもよい。ここで、透視可能な材料としては、プラスチックやガラスなどを挙げることができる。
【００１７】
容器１の材質としては、透湿性や吸湿性を有さない材質であることが好ましい。透湿性や吸湿性を有する材質を使用した場合、容器外の環境の影響を受けたり、微細水滴６が容器外にもれたり、容器自体が吸湿したりして、適切なデモンストレーションができない場合がある。かかる透湿性や吸湿性を有さない材質としては、金属、プラスチック、ガラスなどを挙げることができる。
【００１８】
容器１に設けられる開口部４としては図１に示すような導入管３を挿入できるような大きさの穴であってもよいし、導入管３にはめ込むことによって接続できるようにした突起状の開口部であってもよい。さらに、導入管３を挿入した後、チャックなどで開口部分を閉じることができるような構造であってもよいし、容器の上面が全て開口していてもよい。
【００１９】
開口部４の位置としては、容器１の上面に限らず側面や底面であっても構わないが、微細水滴６の容器１内での状態を視認しやすくする観点から、容器１の内部に設置された吸湿性物品５の上端よりも上とすることが好ましい。
【００２０】
微細水滴発生手段２としては、微細水滴を発生できる手段であればよいが、代表的なものとして超音波加湿器を挙げることができる。また、導入管３としては、管形状のものであればよいが、代表的なものとして可撓性のある樹脂製チューブを挙げることができる。
【００２１】
また、本考案の吸湿性能デモ装置においては、図２に示すように、容器１を複数備えるものであることが好ましい。このようにすることにより、例えば、一方の容器１に吸湿性物品５を設置し、他方の容器１には何も設置しないか、あるいは比較サンプルを設置し、両方の容器に同時に微細水滴を導入すれば、靄が消えていく状況を比較しながら見ることができるため、吸湿性物品の吸湿性能の程度をより分かりやすく示すことができる。なお、複数の容器１は、それぞれが独立した容器であってもよいが、一つの大きな容器の中に仕切りを設けて複数の空間を設けたものであってもよい。
【００２２】
また、本考案の吸湿性能デモ装置においては、図３に示すように、容器１の視認する側とは反対側の面（以下、背面という）の少なくとも一部を有色にすることが好ましい。このようにすることにより、白い靄が消えていく状況をより視認しやすくなる。有色にする方法としては、前記背面を塗料などで着色する方法、前記背面を有色のプラスチックやガラスで構成する方法、前記背面の内側もしくは外側に有色シートを設置する方法などを挙げることができる。また、有色化の色としては、靄を視認しやすくできる色であれば特に限定されないが、通常、黒色が選択される。
【００２３】
また、本考案の吸湿性能デモ装置においては、図３に示すように、容器の内部の湿度を示す湿度表示手段８を備えていてもよい。このようにすることにより、吸湿性物品の吸湿性能について、靄が消えていく状況とともに、客観的な数値として示すことができるため、より説得力のあるデモンストレーションを行うことができる。かかる湿度表示手段８としては、湿度を数値的に示せるものであればよいが、代表的なものとしてデジタル式の温湿度計を挙げることができる。また、かかる湿度表示手段８は、その全体を容器１内部に設置してもよいし、湿度検出部９のみを容器１内部に設置し、本体は容器１の外に設置してもよい。
【００２４】
本考案の吸湿性能デモ装置において、容器１の内部に設置される吸湿性物品５としては、特に制限されないが、本考案の装置が吸湿速度のデモンストレーションに適していることから、吸湿速度の高い吸湿性物品であることが好ましい。かかる吸湿性物品としては、高吸湿性繊維や高吸湿性粒子、該繊維や該粒子を含有する糸、編物、織物、不織布、中綿、肌着、靴下などの衣料品、カーテン、畳、壁紙、建材、フィルムなどを挙げることができる。また、サイズが大きく容器内に設置することができない場合には、これらの物品の一部を切り取ったもの、モデル的に再現したもの、ミニチュアなどを吸湿性物品５としてもよい。
【産業上の利用可能性】
【００２５】
本考案の吸湿性能デモ装置は、吸湿性物品の吸湿性能を目に見える形で短時間に示すことができるので、吸湿性物品の店頭販売における販促デモンストレーションや、ＢｔｏＢの営業活動における吸湿性素材の機能の説明などにおいて、極めて有用である。
【符号の説明】
【００２６】
１  内部を透視可能な容器
２  微細水滴発生手段
３  導入管
４  開口部
５  吸湿性物品
６  微細水滴
７  有色にした背面
８  湿度表示手段
９  湿度検出部
【図１】
0003218222.tif 000003
【図２】
0003218222.tif 000004
【図３】
0003218222.tif 000005